【手続補正書】
【提出日】平成20年12月9日(2008.12.9)
【手続補正１】
【補正対象書類名】特許請求の範囲
【補正対象項目名】全文
【補正方法】変更
【補正の内容】
【特許請求の範囲】
【請求項１】
情報粒子源と、
第１の位置に設けられ、特定のパラメータの値を有する粒子のみがそこを通れるよう設定されているフィルタと、
第２の位置に設けられ、確定された前記パラメータの値を有する入射粒子と、前記粒子の値の重ね合わせにある入射粒子とを判別する検出装置と
を備える情報伝達装置。
【請求項２】
前記情報粒子源は粒子対を発し、それぞれの対における一方の粒子は前記フィルタに向けられ、それぞれの対における他方の粒子は前記検出装置に向けられる、請求項１に記載の情報伝達装置。
【請求項３】
前記フィルタは、各々の粒子対の前記一方の粒子が前記フィルタを通過する経路上の位置と、各々の粒子対の前記一方の粒子が前記フィルタを通過しない経路外の位置との間を移動する、請求項２に記載の情報伝達装置。
【請求項４】
前記情報粒子源から発せられた前記粒子は物質粒子である、請求項１から３のいずれか１項に記載の情報伝達装置。
【請求項５】
粒子の対を発する情報粒子源であって、前記対における第１の粒子は第１の位置に向けて発せられ、前記対における第２の粒子は第２の位置に向けて発せられる情報粒子源と、
前記第１の位置に設けられたフィルタであって、前記粒子対の各々の前記一方の粒子が前記フィルタに吸収される経路上の位置と、前記粒子対の各々の前記一方の粒子が前記フィルタに吸収されない経路外の位置との間を移動するフィルタと、
前記第２の位置に設けられた検出装置であって、相対的に短いコヒーレンス長を有する入射粒子と、相対的に長いコヒーレンス長を有する入射粒子とを判別する検出装置と
を備える情報伝達装置。
【請求項６】
前記情報粒子源は少なくとも三順位原子構造を有する物質のサンプルを備え、電子が前記構造の中で第１順位から第２順位に移動する時に、粒子対の一方の粒子が発せられ、前記電子が前記構造の中で前記第２順位から第３順位に移動する時に、前記粒子対の他方の粒子が発せられる、請求項５に記載の情報伝達装置。
【請求項７】
前記検出装置は、
スプリッタと、
デテクタと、
前記スプリッタと前記デテクタとの間に定義された第１及び第２の経路であって、前記第１の経路の経路長は前記第２の経路の経路長より長い経路と
を備え、
前記スプリッタに粒子が衝突し、前記粒子の波動関数が前記第１及び第２の経路の両方に向けられた場合、前記第１及び第２の経路に向けられた前記波動関数の部分どうしが、前記デテクタの近傍又は前記デテクタにおいて互いに干渉する、請求項５又は６に記載の情報伝達装置。
【請求項８】
前記情報粒子源は、波動関数が互いにエンタングルされた粒子の対を発する、請求項１から３又は５から７のいずれか１項に記載の情報伝達装置。
【請求項９】
前記情報粒子源から前記フィルタまでの前記経路長は、前記情報粒子源から前記検出装置までの前記経路長よりも短い、請求項１から８のいずれか１項に記載の情報伝達装置。
【請求項１０】
それぞれが入力と出力を有し、それらの間に経路長を定義する一対の経路長モジュールであって、前記経路長は互いに実質的に等しく、前記経路長モジュールの観察者から隠されている一対の経路長モジュールが設けられ、
前記経路長モジュールの一方は、前記情報粒子源から前記フィルタに進む粒子が通るように配置され、
前記経路長モジュールの他方は、前記情報粒子源から前記検出装置に進む粒子が通るように配置される、請求項１又は９に記載の情報伝達装置。
【請求項１１】
前記情報粒子源から発せられる前記粒子は光子である、請求項１から１０のいずれか１項に記載の情報伝達装置。
【請求項１２】
請求項１から１１のいずれか１項に記載の第１及び第２の伝達装置を備え、
前記第１の伝達装置の前記フィルタが前記第２の伝達装置の前記検出装置の近傍に配置され、前記第２の伝達装置の前記フィルタが前記第１の伝達装置の前記検出装置の近傍に配置される情報伝達装置。
【請求項１３】
特定の値のパラメータを有する粒子のみを通過させるよう設定されたフィルタを提供するステップと、
確定された前記パラメータの値を有する入射粒子と、前記粒子の値の重ね合わせにある入射粒子とを判別可能な検出装置を提供するステップと、
粒子対を発する情報粒子源であって、それぞれの対の一方の粒子は前記フィルタに向けられ、それぞれの対の他方の粒子は前記検出装置に向けられる情報粒子源を提供するステップと、
それぞれの粒子対の前記一方の粒子が前記フィルタを通過する経路上の位置と、それぞれの粒子対の前記一方の粒子が前記フィルタを通過しない経路外の位置との間で、前記フィルタを移動させるステップと
を含む情報伝達方法。
【請求項１４】
入射する粒子を吸収のみするよう設定されたフィルタを提供するステップと、
相対的に短いコヒーレンス長を有する入射粒子と、相対的に長いコヒーレンス長を有する入射粒子とを判別する検出装置を提供するステップと、
粒子対を発する情報粒子源であって、それぞれの対の一方の粒子は前記フィルタに向けられ、それぞれの対の他方の粒子は前記検出装置に向けられる情報粒子源を提供するステップと、
それぞれの粒子対の前記一方の粒子が前記フィルタを通過する経路上の位置と、それぞれの粒子対の前記一方の粒子が前記フィルタを通過しない経路外の位置との間で、前記フィルタを移動させるステップと
を含む情報伝達方法。
【請求項１５】
前記情報粒子源を提供するステップは、少なくとも三順位原子構造を有する物質のサンプルを提供することを含み、前記構造内で電子が第１順位から第２順位に移動する時に、粒子対の一方の粒子が発せられ、前記構造内で電子が第２順位から第３順位に移動する時に、前記粒子対の他方の粒子が発せられる、請求項１４に記載の方法。
【請求項１６】
前記検出装置を提供するステップは、
スプリッタと、
デテクタと、
前記スプリッタ及び前記デテクタとの間に定義された第１及び第２の経路であって、前記第１の経路の経路長は前記第２の経路の経路長よりも長い経路と、
を提供するステップを含み、
前記スプリッタに粒子が衝突し、前記粒子の波動関数が前記第１及び第２の経路の両方に向けられた場合、前記第１及び第２の経路に向けられた前記波動関数の部分どうしが、前記デテクタの近傍又は前記デテクタにおいて互いに干渉する、請求項１４又は１５に記載の方法。
【請求項１７】
前記情報粒子源から前記フィルタまでの前記経路長は、前記情報粒子源から前記検出装置までの前記経路長よりも短い、請求項１３から１６のいずれか１項に記載の方法。
【請求項１８】
前記フィルタを前記経路上の位置に配置することが第１のバイナリ状態を伝達するために用いられ、前記フィルタを前記経路外の位置に配置することが第２のバイナリ状態を伝達するために用いられる、請求項１３から１７のいずれか１項に記載の方法。
【請求項１９】
それぞれが入力と出力を有し、それらの間に経路長を定義する一対の経路長モジュールであって、前記経路長は互いに実質的に等しく、前記経路長モジュールの観察者から隠されている一対の経路長モジュールを提供するステップと、
前記情報粒子源から前記フィルタに進む粒子が前記経路長モジュールの一方を通過し、前記情報粒子源から前記検出装置に進む粒子が前記経路長モジュールの他方を通過するよう、前記経路長モジュールを配置するステップと
を更に備える、請求項１３から１８のいずれか１項に記載の方法。
【請求項２０】
第２のフィルタ及び第２の検出装置を提供するステップを更に含み、前記第１のフィルタは前記第２の検出装置の近傍に配置され、前記第２のフィルタは前記第１の検出装置の近傍に配置される、請求項１３から１９のいずれか１項に記載の方法。
【請求項２１】
前記第１の検出装置及び前記第２のフィルタの位置で、前記第２の検出装置及び前記第１のフィルタからの情報を受けるステップと
前記情報を受けた後に、予め設定された時間の長さの範囲内で、前記第２の検出装置及び前記第１のフィルタの位置に確認シグナルを送信するステップと
をさらに含む、請求項２０に記載の方法。
【請求項２２】
暗号化情報を送信するステップを含む、請求項１３から２１のいずれか１項に記載の方法。
【請求項２３】
粒子に作用するフィルタを提供するステップと、
粒子対を発する情報粒子源であって、前記粒子対の前記粒子の波動関数は互いにエンタングルされており、それぞれの対における一方の粒子は検出装置に向けられ、それぞれの対における他方の粒子は前記フィルタに向けられる情報粒子源を提供するステップと、
それぞれの粒子対の前記一方の粒子が前記フィルタを通過して第１のバイナリ状態を前記検出装置に伝送するための経路上位置と、それぞれの粒子対の前記一方の粒子が前記フィルタを通過しないで第２のバイナリ状態を前記検出装置に伝送するための経路外位置との間で、前記フィルタを移動させるステップと
を含み、
前記検出装置は、前記粒子対の前記他方の粒子が前記フィルタからの作用を受けたときの粒子対の一方の粒子と、前記粒子対の前記他方の粒子が前記フィルタからの作用を受けなかったときの粒子対の一方の粒子とを判別可能である情報伝達方法。